(57)【要約】      （修正有）【課題】簡易な構成で電池性能の低下を防止し得る電池収納装置を提案する。【解決手段】開閉可能な上蓋を有する電子機器内に設けられた、電池６を収納するための電池収納装置１６において、上蓋の開閉動作と一体に変位する突起部３３と、上蓋の開動作又は閉動作時に突起部と係合して、電池ホルダ内に収納された電池を押圧してスライド移動させる押圧手段とを設けるようにしたことにより、上蓋の閉動作時にこれと連動してプラス端子１８及び電池のプラス電極６ｂ並びにマイナス端子１７及び電池のマイナス電極６ａを擦らせることができるため、端子や電極に付着する酸化物等を除去することによって、端子や電極の腐食を未然かつ有効に防止することができ、かくして簡易な構成で電池性能の低下を防止し得る電池収納装置を実現できる。【選択図】図３
2005339910.tif 000002
【特許請求の範囲】
【請求項１】
開閉可能な上蓋を有する電子機器内に設けられた、電池を収納するための電池収納装置において、
上記上蓋の開閉動作と一体に変位する突起部と、
上記上蓋の開動作又は閉動作時に上記突起部と係合して、電池ホルダ内に収納された上記電池を押圧してスライド移動させる押圧手段と、
を具えることを特徴とする電池収納装置。
【請求項２】
上記押圧手段は、
上記電池ホルダに一体形成された
ことを特徴とする請求項１に記載の電池収納装置。
【請求項３】
上記押圧手段に押圧されたときに、上記押圧手段の押圧方向と逆方向に付勢させる付勢手段
を具え、
上記上蓋の開動作又は閉動作時に上記押圧手段によってスライド移動させる上記電池を、上記上蓋の開動作又は閉動作時と逆の動作時に上記付勢手段によって元の位置に戻すようにスライド移動させる
ことを特徴とする請求項１に記載の電池収納装置。
【請求項４】
複数の上記突起部と、
各上記突起部にそれぞれ対応させて設けられ、それぞれ当該対応する上記突起部と順次時間差をもって係合する複数の上記押圧手段と
を具えることを特徴とする請求項１に記載の電池収納装置。
【請求項５】
複数の上記押圧手段に押圧されたときに、複数の上記押圧手段の押圧方向と逆方向にそれぞれ付勢させる複数の上記付勢手段
を具えることを特徴とする請求項４に記載の電池収納装置。
【発明の詳細な説明】
【技術分野】
【０００１】
本発明は、電池収納装置に関し、例えば電子機器を駆動させる電源として電池を使用する光磁気記録再生装置に適用して好適なものである。
【背景技術】
【０００２】
従来、交換可能な充電式の電池を電気収納装置内に収納し、当該電池を電源として使用することによって、外部からの電源の供給を受けることなく様々な場所で音楽等を再生し得る可搬型の光磁気記録再生装置が広く普及している。
【０００３】
このように電池を光磁気記録再生装置内に内蔵させる場合、当該光磁気記録再生装置の使用により放電された電池は、充電を行う際には光磁気記録再生装置内から電池を取り出して、専用の充電機器に当該電池を装填することによって充電が行われる。
【０００４】
また、近年光磁気記録再生装置においては、電池を装填したまま当該光磁気記録再生装置を充電スタンドに装着することによって、電池を光磁気記録再生装置内から取り出すことなく充電を行い得るようになされている。
【０００５】
しかしながらこのような場合、電池を光磁気記録再生装置内から取り出すことがないために、光磁気記録再生装置の端子と電池の電極との接触部に酸化物等が付着して、端子や電極の腐食が発生することがあり、これにより接触部の電気抵抗値が増すことによって、電池本来の性能が低下するという問題がある。
【０００６】
かかる問題を解決する１つの方法として、光磁気記録再生装置内の電池収納部を回動可能に形成し、開閉蓋の開閉に応じて電池収納部を回動させ、光磁気記録再生装置の端子と電池の電極との接触部をこすり合わせることによって、端子や電極の腐食を防止する電池収納構造が提案されている（例えば特許文献１参照）。
【特許文献１】特開２００３−６８２６２公報
【発明の開示】
【発明が解決しようとする課題】
【０００７】
しかしながらこのような電池収納構造においては、電池収納部を電池収納ケースとして設けると共に、当該電池収納ケース全体を回動させるために、光磁気記録再生装置が全体として大型化するおそれがある。
【０００８】
またこの電池収納構造においては、電池収納ケースを支えるための軸孔を設けなければならず、また光磁気記録再生装置においても、電池収納ケースを回動可能に支えるための枢支軸やその他の種々の部品を設けなければならないので、電池収納部周辺の部品点数が格段的に増加し、構造が複雑になるという問題がある。
【０００９】
本発明は以上の点を考慮してなされたもので、簡易な構成で電池性能の低下を防止し得る電池収納装置を提案するものである。
【課題を解決するための手段】
【００１０】
かかる課題を解決するために本発明においては、開閉可能な上蓋を有する電子機器内に設けられた、電池を収納するための電池収納装置において、上蓋の開閉動作と一体に変位する突起部と、上蓋の開動作又は閉動作時に突起部と係合して、電池ホルダ内に収納された電池を押圧してスライド移動させる押圧手段とを設けるようにした。
【００１１】
これにより、上蓋の閉動作時にこれと連動してプラス端子及び電池のプラス電極並びにマイナス端子及び電池のマイナス電極を擦らせることができるため、端子や電極に付着する酸化物等を除去することによって、端子や電極の腐食を未然かつ有効に防止することができる。
【発明の効果】
【００１２】
以上のように本発明によれば、開閉可能な上蓋を有する電子機器内に設けられた、電池を収納するための電池収納装置において、上蓋の開閉動作と一体に変位する突起部と、上蓋の開動作又は閉動作時に突起部と係合して、電池ホルダ内に収納された電池を押圧してスライド移動させる押圧手段とを設けるようにしたことにより、上蓋の閉動作時にこれと連動してプラス端子及び電池のプラス電極並びにマイナス端子及び電池のマイナス電極を擦らせることができるため、端子や電極に付着する酸化物等を除去することによって、端子や電極の腐食を未然かつ有効に防止することができ、かくして簡易な構成で電池性能の低下を防止し得る電池収納装置を実現できる。
【発明を実施するための最良の形態】
【００１３】
以下図面について、本発明の一実施の形態を詳述する。
【００１４】
（１）第１の実施の形態
（１−１）第１の実施の形態による光磁気記録再生装置の構成
図１において、１は全体として本実施の形態による光磁気記録再生装置を示し、本体部２の上部に上蓋３が開閉自在に配設されている。
【００１５】
この場合本体部２の右側面２Ａの後端部には、その内部に設けられた電池収納室４を閉塞するように電池蓋５が開閉自在に設けられており、かくして図１のように電池蓋５を開いて電池６を電池収納室４に挿入した後に、電池蓋５を矢印ａ方向に回動させて閉じることによって、電池６をこの電池収納室４内に所定状態に収納することができるようになされている。
【００１６】
また本体部２の左側面２Ｂには、オープンつまみ７及びイヤホンジャック８がそれぞれ所定の位置に配設されており、オープンつまみ７を矢印ｂ方向にスライドさせることによって上蓋３を開かせることができ、またイヤホン（図示せず）をイヤホンジャック８に挿入することによって、当該イヤホンを介して再生音を聴くことができるようになされている。
【００１７】
さらに本体部２の後側面２Ｃには、複数の操作スイッチ９が配設されており、かくしてこれら操作スイッチ９のうちの所望する操作スイッチ９を押圧操作することによって、当該操作スイッチ９と対応付けられた「再生」、「録音」等の各種動作を光磁気記録再生装置１に実行させ得るようになされている。
【００１８】
さらに本体部２の前側面２Ｄには、充電スタンド１０の電極端子１１と対応させて電極端子１０が配設されており、かくして光磁気記録再生装置１を充電スタンド１０に所定状態に装着したときに、充電スタンド１０の電極端子１１及び光磁気記録再生装置１の電極端子１２が電気的に接触し、これら電極端子１１、１２を介して充電スタンド１０から光磁気記録再生装置１に充電用電流が供給されることにより、当該光磁気記録再生装置１内に収納された電池６を充電し得るようになされている。
【００１９】
一方、本体部２の内部には、図２に示すように、前部にスピンドルモータ１３や光磁気ヘッド１４等が設けられた機構部及び信号処理回路が形成された制御基板（図示せず）からなるメディア駆動部１５が配設され、後部に上述の電池収納室４を形成する電池ホルダ１６が配設されている。
【００２０】
この場合電池ホルダ１６は、全体として断面コ字上の細長角状に形成されており、その左側面にはマイナス端子１７が取り付けられている。そしてこのマイナス端子１７の一端が半田付け等によりメディア駆動部１５に接続されている。また電池蓋５の内側部には、プラス端子１８が取り付けられ、その一端が半田付け等によりメディア駆動部１５に接続されている。
【００２１】
これにより光磁気記録再生装置１においては、電池収納室４に電池６が装填されて電池蓋５が閉じられたときに、マイナス端子１７が当該電池６のマイナス電極４ａ（図１）と接触し、プラス端子１８が当該電池６のプラス電極４ｂ（図１）と接触することによって、メディア駆動部１５に対して駆動電流を供給し得るようになされている。
【００２２】
また本体部２の内部には、左側面２Ｂの内側部に第１の連結部１９が配設され、右側面２Ａの内側部に第２の連結部２０が配設されている。
【００２３】
この第１の連結部１９は、固定アーム２２の右端部に第１の可動アーム２１が回転自在に連結されることにより形成され、固定アーム２２が本体部２の左側面２Ｂの内側部に固着されることにより本体部２内に固定されている。
【００２４】
また第２の連結部２０は、ほぼＬ字状に形成された固定アーム（以下、Ｌ字固定アームと呼ぶ）２４の右端部に第２の可動アーム２３が回転自在に連結されることにより形成され、Ｌ字固定アーム２４が本体部２の左側面２Ｂの内側部に固着されることにより本体部２内に固定されている。
【００２５】
そして第１の連結部１９の第１の可動アーム２１及び第２の連結部２０の第２の可動アーム２３は、上蓋３の後側面３Ａの内側部及び前側面３Ｂの内側部にそれぞれ固着されるようにして上蓋３に固定されると共に、この上蓋３の内側には光磁気ディスクを収納して固定保持するためのメディアホルダ２５が固定されており、これにより上蓋３及びメディア２５を第１及び第２の可動アーム２１、２３の回転中心を中心として回動させるように開閉させ得るようになされている。
【００２６】
このとき第１の連結部１９には、第１の可動アーム２１を上部方向に付勢するように第１のコイルばね２６が配設される一方、第１の可動アーム２１の回転図示しない所定のストッパが配設されており、これにより第１のコイルばね２６の弾性力によってストッパによって規制される範囲内において第１の可動アーム２１を矢印ｃ方向に押し上げることができるようになされている。
【００２７】
また第２の連結部２０には、第２の可動アーム２３を上部方向に付勢するように第２のコイルばね２７が配設されている一方、図示しない所定のストッパが配設されており、これにより第２のコイルばね２７の弾性力によってストッパにより規制される範囲内において第２の可動アーム２３を矢印ｃ方向に押し上げることができるようになされている。
【００２８】
これにより光磁気記録再生装置１においては、第１のコイルばね２６及び第２のコイルばね２７の矢印ｃ方向への弾性力によって上蓋３を開かせることができ、また所定のストッパによって上蓋３を所定角度で開いた状態（以下、これを開状態という）に固定保持させることができるようになされている。
【００２９】
さらに第２の連結部２０の左側面２０Ａには、スライド部材２８が矢印ｂ方向又はこれと逆方向にスライド自在に設けられ、第２の連結部２０の左側面２０Ａの上端部には、切欠き爪２９がスライド部材２８と一体形成されて設けられている。またスライド部材２８の中央部には、嵌合穴３０が穿設されている。
【００３０】
この嵌合穴３０は、オープンつまみ７から垂直方向に突出するように形成された突起３１に嵌め込まれており、かくしてオープンつまみ７と一体に切欠き爪２９を矢印ｂ方向又はこれと逆方向にスライド自在にスライドさせ得るようになされている。
【００３１】
さらに第２の連結部２０の左側面２０Ａの内側部には、コイルばね（図示せず）が切欠き爪２９に対して常に矢印ｂ方向の逆方向に付勢させるように配設されており、これにより切欠き爪２９が矢印ｂ方向にスライド移動されたときに、コイルばねの弾性力によって、切欠き爪２９を矢印ｂ方向の逆方向に戻し得るようになされている。
【００３２】
さらに上蓋３の左側面３Ｃの内側部には、切欠き爪２９の形状に対応して、当該切欠き爪２９に嵌合するような形状に形成されたロック爪３２が配設されており、これにより本体部２と上蓋３とが嵌め合わされたときに、ロック爪３２と切欠き爪２９とが嵌合されて、本体部２と上蓋３とを嵌め合わせた状態（以下、これを閉状態という）に固定保持させることができるようになされている。
【００３３】
このようにして光磁気記録再生装置１においては、上蓋３に矢印ｃ方向と逆方向に外力が与えられたときに、ロック爪３２と切欠き爪２９とが嵌合することによって、上蓋３を閉状態にすることができ、また、オープンつまみ７を矢印ｂ方向にスライド移動させて、ロック爪３２と切欠き爪２９との嵌合が解除されたときに、第１のコイルばね２６及び第２のコイルばね２７の矢印ｃ方向への弾性力によって、上蓋３を開状態にすることができるようになされている。
【００３４】
かかる構成に加えてこの光磁気記録再生装置１の場合、図３に示すように、第１の可動アーム２１のほぼ中央部には、当該第１の可動アーム２１に対して垂直下側に突出する所定長さの突起（以下、これを係合突起と呼ぶ）３３が一体形成されている。
【００３５】
また電池ホルダ１６の後側面１６Ａには、係合突起３３に対応する位置に第１のモールドばね３４が当該電池ホルダ１６と一体形成されている。この第１のモールドばね３４は、当該電池ホルダ１６の後側面１６Ａの壁面に対して下側にいくに従ってその外側面側がより電池ホルダ１６の外側に突出するような湾曲した形状に形成されている。
【００３６】
これにより光磁気記録再生装置１においては、図４のように上蓋３が開状態のときに、上蓋３を閉じる方向に外力が与えられ、第１の可動アーム２１が矢印ｄ方向に回動したときに、図５のように第１の可動アーム２１の係合突起３３の先端が第１のモールドばね３４の一端に接触し、その後さらに上蓋３が閉じられるに従って係合突起３３が第１のモールドばね３４を押圧することによって、図６のように第１のモールドばね３４が電池ホルダ１６の内側に移動して電池ホルダ１６内の電池６に接触し、かくして電池６を押圧し、当該電池６を矢印ｅ方向にスライド移動させることができるようになされている。
【００３７】
（１−２）第１の実施の形態による動作及び効果
以上の構成において、この光磁気記録再生装置１では、上蓋３が閉じられるときに、これと連動して第１のモールドばね３４によって電池ホルダ１６内の電池６を押圧して矢印ｅ方向にスライド移動させる。
【００３８】
これによりこの光磁気記録再生装置１では、上蓋３の閉動作時にこれと連動して電池蓋５のプラス端子１８及び電池６のプラス電極６ｂ並びに電池ホルダ１６のマイナス端子１７及び電池６のマイナス電極６ａを擦らせることができるため、端子や電極に付着する酸化物等を除去することによって、端子や電極の腐食を未然かつ有効に防止することができる。
【００３９】
以上の構成によれば、上蓋３が閉じられるときに、これと連動して第１のモールドばね３４によって電池ホルダ１６内の電池６を押圧して矢印ｅ方向にスライド移動させることにより、上蓋３の閉動作時にこれと連動して電池蓋５のプラス端子１８及び電池６のプラス電極６ｂ並びに電池ホルダ１６のマイナス端子１７及び電池６のマイナス電極６ａを擦らせることができるため、端子や電極に付着する酸化物等を除去することによって、端子や電極の腐食を未然かつ有効に防止することができ、かくして簡易な構成で電池性能の低下を防止することができる。
【００４０】
（２）第２の実施の形態
（２−１）第２の実施の形態による光磁気記録再生装置の構成
図１において、４０は第２の実施の形態における光磁気記録再生装置を示し、上述した第１の実施の形態における光磁気記録再生装置１（図３）と、電池ホルダ４１に第２のモールドばね４２が設けられていることを除いて同様に構成されている。
【００４１】
この場合電池ホルダ４１の前側面４１Ａには、第１のモールドばね３４に対向する位置に第２のモールドばね４２が当該電池ホルダ４１と一体形成されている。そしてこの第２のモールドばね４２は、当該電池ホルダ４１の後側面４１Ａの壁面に対して下側にいくに従ってその内側面側がより電池ホルダ４１の内側に突出するような湾曲した形状に形成されている。
【００４２】
また第２のモールドばね４２は、電池ホルダ４１の前側面４１Ａのほぼ中央部に第１のモールドばね３４と対向するように配設されており、これにより電池６を平行にスライド移動させ、押圧時の電池６のズレ等を有効に防止し得るようになされている。
【００４３】
これにより光磁気記録再生装置１においては、図８のように上蓋３が閉状態のときにロック爪３２と切欠き爪２９との嵌合が解除されて、可動アーム４１が矢印ｆ方向に回動したときに、図９のように第１のモールドばね３４が元の位置に戻る一方、第２のモールドばね４２が元の位置に戻ることによって、第１のモールドばね３４の電池６への押圧が解除される一方、第２のモールドばね４２の弾性力によって電池６を押圧し、当該電池６を矢印ｇ方向にスライド移動させることができる。
【００４４】
（２−２）第２の実施の形態による動作及び効果
以上の構成において、光磁気記録再生装置４０では、上蓋３が閉じられるときに、これと連動して第１のモールドばね３３によって電池ホルダ４１内の電池６を押圧して矢印ｇ方向と逆方向にスライド移動させる一方、上蓋３が開かれるときに、これと連動して第２のモールドばね４２によって電池ホルダ４１内の電池６を押圧して矢印ｇ方向にスライド移動させる。
【００４５】
これによりこの光磁気記録再生装置４０では、上蓋３の開動作又は閉動作時にこれと連動して電池蓋５のプラス端子１８及び電池６のプラス電極６ｂ並びに電池ホルダ１６のマイナス端子１７及び電池６のマイナス電極６ａを擦らせることができるため、端子や電極に付着する酸化物等を除去することによって、第１の実施の形態に比して端子や電極の腐食を未然かつ有効に防止することができる。
【００４６】
以上の構成によれば、上蓋３が閉じられるときに、これと連動して第１のモールドばね３３によって電池ホルダ４１内の電池６を押圧して矢印ｇ方向と逆方向にスライド移動させる一方、上蓋３が開かれるときに、これと連動して第２のモールドばね４２によって電池ホルダ４１内の電池６を押圧して矢印ｇ方向にスライド移動させることにより、上蓋３の開動作又は閉動作時にこれと連動して電池蓋５のプラス端子１８及び電池６のプラス電極６ｂ並びに電池ホルダ１６のマイナス端子１７及び電池６のマイナス電極６ａを擦らせることができるため、端子や電極に付着する酸化物等を除去することによって、第１の実施の形態に比して端子や電極の腐食を未然かつ有効に防止することができ、かくして簡易な構成で電池性能の低下を防止することができる。
【００４７】
（３）第３の実施の形態
（３−１）第３の実施の形態による光磁気記録再生装置の構成
図１において、５０は第３の実施の形態における光磁気記録再生装置を示し、上述した第２の実施の形態における光磁気記録再生装置４０（図７）と、第１の可動アーム５１に複数の係合突起が設けられていることと、電池ホルダ５２に複数のモールドばねが設けられていることを除いて同様に構成されている。
【００４８】
この場合第１の可動アーム５１には、図１０に示すように、付け根側及び先端側にそれぞれ第１の係合突起５３及び第２の係合突起５４が第１の実施の形態における係合突起３３と同様の形状に形成されている。
【００４９】
また電池ホルダ５２の後側面５２Ａには、第１の係合突起５３及び第２の係合突起５４に対応した位置にそれぞれ第１のモールドばね５５及び第２のモールドばね５６が第１の実施の形態における第１のモールドばね３４と同様の形状に形成されている。
【００５０】
さらに電池ホルダ５２の前側面５２Ｂには、第１のモールドばね５５及び第２のモールドばね５６に対向した位置にそれぞれ第３のモールドばね５７及び第４のモールドばね５８が第２の実施の形態における第２のモールドばね４２と同様の形状に形成されている。
【００５１】
これにより光磁気記録再生装置５０においては、図１１のように上蓋３が開状態のときに上蓋３を閉じる方向に外力が与えられ、第１の可動アーム５１が矢印ｈ方向に回動したときに、図１２のように第１のモールドばね５５が電池６のプラス電極６ｂ側を押圧し、第４のモールドばね５８を支点として電池６を矢印ｉ方向に回動させることができ、この後さらに第１の可動アーム５１が矢印ｈ方向に回動したときに、図１３のように第２のモールドばね５６が電池６のマイナス電極６ａ側を押圧し、第３のモールドばね５７を支点として電池６を矢印ｊ方向に回動させることができる。
【００５２】
また、図１３のように上蓋３が閉状態のときにロック爪３２と切欠き爪２９との嵌合が解除されて、第１の可動アーム５１が矢印ｈ方向と逆方向に回動したときに、図１２のように第４のモールドばね５８が電池６のマイナス電極６ａ側を押圧し、第１のモールドばね５５を支点として電池６を矢印ｉ方向と逆方向に回動させることができ、この後さらに第１の可動アーム５１が矢印ｆ方向と逆方向に回動したときに、第３のモールドばね５７が電池６のプラス電極６ｂ側を押圧し、電池６を矢印ｉ方向と逆方向に回動させることができる。
【００５３】
（３−２）第３の実施の形態による動作及び効果
以上の構成において、光磁気記録再生装置５０では、上蓋３が閉じられるときに、電池６のプラス電極６ｂ側を押圧して第４のモールドばね５８を支点として電池６を矢印ｉ方向に回動させ、この後さらに上蓋３が閉じられるときに、電池６のマイナス電極６ａ側を押圧して第３のモールドばね５７を支点として電池６を矢印ｊ方向に回動させる一方、上蓋３が開かれるときに、電池ホルダ５２内の電池６のマイナス電極６ａ側を押圧して第１のモールドばね５５を支点として電池６を矢印ｊ方向と逆方向に回動させ、この後さらに上蓋３が開かれるときに、電池６のプラス電極６ｂ側を押圧して矢印ｉ方向と逆方向に回動させる。
【００５４】
これによりこの光磁気記録再生装置５０では、上蓋３の開動作又は閉動作時にこれと連動して電池蓋５のプラス端子１８及び電池６のプラス電極６ｂ並びに電池ホルダ１６のマイナス端子１７及び電池６のマイナス電極６ａをより長く接触させて擦らせることができるため、端子や電極に付着する酸化物等を除去することによって、第２の実施の形態に比してさらに端子や電極の腐食を未然かつ有効に防止することができる。
【００５５】
以上の構成によれば、上蓋３が閉じられるときに、電池６のプラス電極６ｂ側を押圧して第４のモールドばね５８を支点として電池６を矢印ｉ方向に回動させ、この後さらに上蓋３が閉じられるときに、電池６のマイナス電極６ａ側を押圧して第３のモールドばね５７を支点として電池６を矢印ｊ方向に回動させる一方、上蓋３が開かれるときに、電池ホルダ５２内の電池６のマイナス電極６ａ側を押圧して第１のモールドばね５５を支点として電池６を矢印ｊ方向と逆方向に回動させ、この後さらに上蓋３が開かれるときに、電池６のプラス電極６ｂ側を押圧して矢印ｉ方向と逆方向に回動させることにより、上蓋３の開動作又は閉動作時にこれと連動して電池蓋５のプラス端子１８及び電池６のプラス電極６ｂ並びに電池ホルダ１６のマイナス端子１７及び電池６のマイナス電極６ａをより長く接触させて擦らせることができるため、端子や電極に付着する酸化物等を除去することによって、第２の実施の形態に比してさらに端子や電極の腐食を未然かつ有効に防止することができ、かくして簡易な構成で電池性能の低下を防止することができる。
【００５６】
（４）他の実施の形態
なお上述の実施の形態においては、電池６を押圧する第１のモールドばね３４を設けた場合について述べたが、本発明はこれに限らず、モールドばねを用いずに電池をスライド移動させるようにしても良い。
【００５７】
例えば図１の対応部分に同一番号を付して示す光磁気記録再生装置６０（図１５）に示すように、第１の可動アーム６１のほぼ中央部に当該第１の可動アーム６１に対して垂直方向に突出するように、かつ先端部分が電池ホルダ６３の内側に突出するような三角形形状に形成された係合突起６２を設け、また電池ホルダ６３の係合突起６２に対応する位置について電池６を露出させた露出部６４を設けることにより、第１の可動アーム６１を矢印ｋ方向に回動させたときに、係合突起６２が電池６を押圧して当該電池６をスライド移動させることによって、プラス端子１８及びプラス電極６ｂ並びにマイナス端子１７及びマイナス電極６ａを擦らせることができる。
【００５８】
また上述の実施の形態においては、上蓋３の開動作又は閉動作時の第１の可動アーム２１の動作に基づいて電池をスライド移動させた場合について述べたが、本発明はこれに限らず、この他種々の部品に基づいて電池をスライド移動させるようにしても良い。
【００５９】
例えば図３の対応部分に同一番号を付して示す光磁気記録再生装置７０（図１６）に示すように、オープンつまみ７２と、電池ホルダ７３の当該オープンつまみ７２に対応する位置にモールドばね７４を設けることにより、モールドばね７４を矢印ｌ方向にスライド移動させたときに、モールドばね７４が電池６を押圧して当該電池６をスライド移動させることによって、プラス端子１８及びプラス電極６ｂ並びにマイナス端子１７及びマイナス電極６ａを擦らせることができる。
【００６０】
さらに上述の実施の形態においては、光磁気ディスクにデータを記録再生する光磁気記録再生装置に適用するようにした場合について述べたが、本発明はこれに限らず、上蓋の開閉を伴うようなこの他種々の電子機器に適用することができる。
【００６１】
さらに上述の実施の形態においては、電池６は角型の電池を適用した場合について述べたが、本発明はこれに限らず、例えば円筒型の電池等この他種々の電池に適用することができる。
【００６２】
さらに上述の実施の形態においては、電池６は交換可能な充電式の電池を適用した場合について述べたが、本発明はこれに限らず、要は電池を取り出すことができるこの他種々の電池に適用することができる。
【００６３】
さらに上述の実施の形態においては、電池ホルダ内の電池をスライド移動させるためにモールドばねを設けた場合について述べたが、本発明はこれに限らず、要は電池を押圧することができるこの他種々の部材に適用することができる。
【００６４】
さらに上述の実施の形態においては、第１のモールドばね３４に対向する位置に第２のモールドばね４２を設けて電池６を元の位置に戻した場合について述べたが、本発明はこれに限らず、要は電池の押圧に基づいて、モールドばねの押圧方向と逆方向に付勢させるこの他種々の部材に適用することができる。
【００６５】
さらに上述の実施の形態においては、係合突起は可動アームと一体形成され、モールドバネは電池ホルダと一体形成されて設けられている場合について述べたが、本発明はこれに限らず、係合突起を可動アームと別体として設けるようにしても良く、モールドバネを電池ホルダと別体として設けるようにしても良い。
【産業上の利用可能性】
【００６６】
本発明は、光磁気ディスクにデータを記録再生する光磁気記録再生装置の他、種々のディスクメディアを装填の際に上蓋の開閉を伴うような場合に適用することができる。
【図面の簡単な説明】
【００６７】
【図１】第１の実施の形態による光磁気記録再生装置の構成を示す略線図である。
【図２】光磁気記録再生装置の内部構成を示す略線図である。
【図３】第１の実施の形態による可動アーム及び電池ホルダの構成を示す略線図である。
【図４】上蓋閉動作時の様子の説明に供する断面図である。
【図５】上蓋閉動作時の様子の説明に供する断面図である。
【図６】上蓋閉動作時の様子の説明に供する断面図である。
【図７】第２の実施の形態による可動アーム及び電池ホルダの構成を示す略線図である。
【図８】上蓋開動作時の様子の説明に供する断面図である。
【図９】上蓋開動作時の様子の説明に供する断面図である。
【図１０】第３の実施の形態による可動アーム及び電池ホルダの構成を示す略線図である。
【図１１】上蓋開動作又は閉動作時の様子の説明に供する断面図及び側面図である。
【図１２】上蓋開動作又は閉動作時の様子の説明に供する断面図及び側面図である。
【図１３】上蓋開動作又は閉動作時の様子の説明に供する断面図及び側面図である。
【図１４】他の実施の形態による可動アーム及び電池ホルダの構成を示す略線図である。
【図１５】他の実施の形態による可動アーム及び電池ホルダの構成を示す略線図である。
【符号の説明】
【００６８】
１、４０、５０、６０、７０……光磁気記録再生装置、２……本体部、３……上蓋、４……電池収納室、５……電池蓋、６……電池、６ａ……マイナス電極、４６……プラス電極、７、７２……オープンつまみ、１６、４１、５２、６３、７３……電池ホルダ、１７……マイナス端子、１８……プラス端子、１９……第１の連結部、２０……第２の連結部、２１、５１、６１……第１の可動アーム、２３……第２の可動アーム、２６……第１のコイルばね、２７……第２のコイルばね、２９……切欠き爪、３２……ロック爪、３３、６２……係合突起、３４、５５……第１のモールドばね、４２、５６……第２のモールドばね、５３……第１の係合突起、５４……第２の係合突起、５７……第３のモールドばね、５８……第４のモールドばね、６４……露出部。
【図１】
2005339910.tif 000003
【図２】
2005339910.tif 000004
【図３】
2005339910.tif 000005
【図４】
2005339910.tif 000006
【図５】
2005339910.tif 000007
【図６】
2005339910.tif 000008
【図７】
2005339910.tif 000009
【図８】
2005339910.tif 000010
【図９】
2005339910.tif 000011
【図１０】
2005339910.tif 000012
【図１１】
2005339910.tif 000013
【図１２】
2005339910.tif 000014
【図１３】
2005339910.tif 000015
【図１４】
2005339910.tif 000016
【図１５】
2005339910.tif 000017